(57)【要約】【課題】鉢収容空間に配置する植木鉢を確実に体裁良く簡単に管理し得る鉢収容空間用自動給水セットを提供することにある。【解決手段】鉢収容空間Ａに植木鉢Ｂと共に収めることのできる水タンク１と、水タンク１から植木鉢Ｂに水Ｗを供給する灌水手段４とを備え、鉢収容空間Ａは飾り鉢Ｄ、又は間仕切Ｅに備えたものであり、灌水手段４は水タンク１に接続する送水ポンプ５と、該ポンプ５から鉢収容空間Ａ内の植木鉢Ｂに達する送水路６と、送水ポンプ５の電気制御部７とを備え、水タンク１に注水口２と、灌水手段４の機材設置空間３とを備え、機材設置空間３に少なくとも送水ポンプ５を取付け、電気制御部７に給水時間操作部８と水タンク１の水位センサー１７と、湿度センサー２７と、水位警報部８ｂとを備えている。【選択図】　　　　図１
2004008169.tif 000002
【特許請求の範囲】
【請求項１】
鉢収容空間（Ａ）に植木鉢（Ｂ）と共に収めることのできる水タンク（１）と、該タンク（１）から植木鉢（Ｂ）に水（Ｗ）を供給する灌水手段（４）とを備えていることを特徴とする鉢収容空間用自動給水セット。
【請求項２】
灌水手段（４）は、水タンク（１）に接続する送水ポンプ（５）と、該ポンプ（５）から鉢収容空間（Ａ）内の植木鉢（Ｂ）に達する送水路（６）と、送水ポンプ（５）の電気制御部（７）とを備え、電気制御部（７）に給水時間操作部（８）を備えていることを特徴とする請求項１記載の鉢収容空間用自動給水セット。
【請求項３】
水タンク（１）に注水口（２）と、灌水手段（４）の機材設置空間（３）とを備え、注水口（２）に開閉自在の蓋（１４）を設け、機材設置空間（３）に少なくとも送水ポンプ（５）を取付けていることを特徴とする請求項１及び２記載の鉢収容空間用自動給水セット。
【請求項４】
電気制御部（７）に水タンク（１）の水位を検地する水位センサー（１７）と、該センサー（１７）からの信号にて低水位を知らせる水位警報部（８ｂ）とを備えていることを特徴とする請求項２又は３記載の鉢収容空間用自動給水セット。
【請求項５】
電気制御部（７）に植木鉢（Ｂ）の土壌（Ｃ）に差込む湿度センサー（２７）を備え、湿度センサー（２７）は土壌（Ｃ）の水分が一定以下になると電気制御部（７）に信号を送り、送水ポンプ（５）を作動することを特徴とする請求項２，３又は４記載の鉢収容空間用自動給水セット。
【請求項６】
鉢収容空間（Ａ）は飾り鉢（Ｄ）に備えたものであり、該鉢収容空間（Ａ）内に水タンク（１）と灌水手段（４）とを水平状態において外部から見えないように収めていることを特徴とする請求項１，２，３，４又は５記載の鉢収容空間用自動給水セット。
【請求項７】
鉢収容空間（Ａ）は間仕切（Ｅ）の上部に備えたものであり、該鉢収容空間（Ａ）内に水タンク（１）と灌水手段（４）とを水平状態において外部から見えないように収めていることを特徴とする請求項１，２，３，４又は５記載の鉢収容空間用自動給水セット。
【発明の詳細な説明】
【０００１】
【発明の属する技術分野】
この本発明は、鉢収容空間内に植木鉢と共に配置することのできる鉢収容空間用自動給水セットに関する。
【０００２】
【従来の技術】
室内に配置する観葉植物の多くは、植木鉢やプランターに植えられ、鉢物植物として利用されている。この鉢物植物をホテルや公共建物のロビー等に配置する場合、鉢物植物の植木鉢部を美感が良くて高級感のある飾り鉢内に入れ、植木鉢部を外部から見えにくくし、飾り鉢に観葉植物が植えられているように見せかけることも行われている。
観葉植物の多くは造園業者から使用者に賃貸し（レンタル）され、造園業者によって一定期間毎に交換されるが、交換されるまでの数週間〜数ケ月間は、使用者により維持管理（主に潅水と日当たり）されている。
【０００３】
喫茶店や飲食店等において、客席間にプライバシーを守るために間仕切を設けるここがあり、その場合、間仕切の上側に鉢収容空間を設け、該鉢収容空間に草花類を植えた植木鉢を配置している。
観葉植物や草花類は生き物であり、維持管理（主たる作業は潅水）を怠ると萎れたり枯れるため、維持管理を欠かすことなく日々行う必要がある。
野外における鉢物植物等にあっては、潅水作業を自動化するものもあるが、室内用の鉢物植物にあっては、体裁や移動等の観点から、灌水の自動化が遅れている。
【０００４】
【発明が解決しようとする課題】
室内に配置する飾り鉢や間仕切等の近くに室外用の自動潅水装置をそのまま配置して利用することも可能であるが、灌水装置の配置場に限定を受ける問題点があるし、潅水装置が外部に露出するため、体裁が悪くなる等の問題点もあった。そこでこの発明は、従来技術の有するこのような問題点に鑑みてなされたものであり、その目的とするところは、鉢収容空間に配置する植木鉢を確実に、しかも体裁良く簡単に管理し得るようにした鉢収容空間用自動給水セットを提供することにある。
【０００５】
【課題を解決するための手段】
上記目的を達成するために、本発明の鉢収容空間用自動給水セットは、請求項１として、鉢収容空間に植木鉢と共に収めることのできる水タンクと、水タンクから植木鉢に水を供給する灌水手段とを備えている。
【０００６】
ここで鉢収容空間とは、一体から数体の植木鉢を出し入れ自在に収めることのできる空間で、円形や矩形を成すものを言い、美観や高級感のある飾り鉢やプランター、或いは外観と体裁の良い間仕切等に設けてあるものを言う。
ここで水タンクとは、鉢収容空間に出し入れ自在に収めることのできる大きで、鉢収容空間の底部に配置したり、内周側の一部又は全周に沿って配置することのできるものを言う。
ここで潅水手段とは、送水ポンプと、送水路と、電気制御部とを備え、水タンクから植木鉢に適量の水を給水するものを言う。
【０００７】
請求項２として、請求項１の鉢収容空間用自動給水セットにおいて、灌水手段は、水タンクに接続する送水ポンプと、該ポンプから鉢収容空間内の植木鉢に達する送水路と、送水ポンプの電気制御部とを備え、電気制御部に給水時間操作部を備えている。
請求項３として、請求項２の鉢収容空間用自動給水セットにおいて、水タンクに注水口と灌水手段の機材設置空間とを備え、注水口に開閉自在の蓋を設け、機材設置空間に少なくとも送水ポンプを取付けている。
【０００８】
ここで送水ポンプとは、駆動部とポンプ部とを備え、ポンプ部に羽根車と、水タンクに連通する通水口と、通水口より吸引した水を送り出す吐出口とを備え、駆動部にて羽根車を回転するものを言い、送水路とは、送水ポンプの吐出口に接続するホースと、ホースの先部に接続するノズルから成り、電気制御部とは、主に駆動部の始動停止をコントロールするものを言い、給水時間操作部とは、送水ポンプの始動開始時と作動持続時間とをセットするものを言う。
ここで注水口とは、水タンク内への水の注ぐ口を言い、注水時に水が溢れないものが好ましく、通常、蓋にて閉鎖されている。
ここで機材設置空間とは、水タンクから遮断され、少なくとも送水ポンプを取付け得る大きさの空間を言い、送水ポンプと共に、電源や電気制御部の一部を取付けることもある。
【０００９】
請求項４として、請求項２，３の鉢収容空間用自動給水セットにおいて、電気制御部に水タンクの水位を検地する水位センサーと、該センサーからの信号にて低水位を知らせる水位警報部とを備えている。
請求項５として、請求項２，３，４の鉢収容空間用自動給水セットにおいて、電気制御部に植木鉢の土壌に差込む湿度センサーを備え、湿度センサーは土壌の水分が一定以下になると電気制御部に信号を送り、送水ポンプを作動する。
【００１０】
ここで水位センサーとは、水タンクの水位を測定し、水位が一定以下になったら電気信号を電気制御部に送るものを言い、水位警報部とは、電気制御部に接続し、主に給水時間操作部に設けられ、水位センサーからの電気信号にて作動するものを言う。
ここで湿度センサーとは、植木鉢の土壌の湿り具合を計測し、土壌の水分が一定以下になったら電気信号を電気制御部に送り、それにより送水ポンプを作動するものを言う。
【００１１】
請求項６として、請求項１，２，３，４，５の鉢収容空間用自動給水セットにおいて、鉢収容空間を飾り鉢に備えたものであり、飾り鉢の鉢収容空間内に水タンクと灌水手段とを水平状態において外部から見えないように収めている。
請求項７として、請求項１，２，３，４，５の鉢収容空間用自動給水セットにおいて、鉢収容空間を間仕切の上部に備えるものであり、該間仕切の鉢収容空間内に水タンクと灌水手段とを水平状態において外部から見えないように収めている。
【００１２】
ここで飾り鉢とは、植物を植えた植木鉢の上側を除いて隠蔽するもので、美観を有し、高級感があり、主にホテルや公共建物のロビー等に配置するものを言い、鉢収容空間を有するプランターも含まれる。
ここで間仕切とは、喫茶店や飲食店等の客席間において、客席を区分するように設けるもので、例えば床面から腰高さまで設けたり、柱間の腰高さ位置に設け、着席状態でプライバシーを守るように設けるものを言う。
水平状態において見えないとは、飾り鉢や間仕切から外部に露出しないよう鉢収容空間内に収まっていることを言う。
【００１３】
【発明の実施の形態】
本発明による鉢収容空間用潅水セットの第一実施形態を図１に基づき説明すれば、鉢収容空間Ａに植木鉢Ｂと共に収めることのできる水タンク１と、水タンク１から植木鉢Ｂに水Ｗを供給する灌水手段４とを備え、鉢収容空間Ａは飾り鉢Ｄに設けてあり、水タンク１として飾り鉢Ｄの上方から内部に入れて鉢底部ｄに載置する横型タンク１Ａを用い、横型タンク１Ａに機材設置空間３を備え、該機材設置空間３に灌水手段４の主要部を取付け、水平状態において外部から見えないよう飾り鉢Ｄ内に収めている。
【００１４】
横型タンク１Ａは機材設置空間３と、タンク上壁ａ１から飾り鉢Ｄの上部まで達する注水口２とを備え、灌水手段４は横型タンク１Ａに連通する送水ポンプ５と、該ポンプ５から飾り鉢Ｄ内の植木鉢Ｂに達する送水路６と、送水ポンプ５の電気制御部７と、電源１０とを備え、電源１０として図１０の如く数個の乾電池２０を収める電池ケース２１を用い、その内、送水ポンプ５と電気制御部７と電池ケース２１とを機材設置空間３に取付け、電気制御部７に飾り鉢Ｄの上側から操作し得る給水時間操作部８を接続し、送水路６はホースＨの先にノズル９を取付けている。また、水タンク１に注水口２と、灌水手段４の機材設置空間３とを備え、注水口２に蓋１４を開閉自在に設け、機材設置空間３に少なくとも送水ポンプ５を取付けている
【００１５】
本発明による鉢収容空間用潅水セットの第二実施形態を、第一実施形態と相違する点について説明すれば、水タンク１として図２の如く飾り鉢Ｄの内周側の一部に配置する縦型タンク１Ｂを用い、縦型タンク１Ｂは上壁ｂ１に注水口２を、一側に機材設置空間３を備え、機材設置空間３の下側に灌水手段４の送水ポンプ５を、上側に電気制御部７と電池ケース２１とを並列に設け、或は送水ポンプ５と電気制御部７と電池ケース２１の順、送水ポンプ５と電池ケース２１と電気制御部７の順に設け、給水時間操作部８を電気制御部７の近くに備え、望ましくは電気制御部７の最上部、又はタンク上壁ｂ１に設け、送水路６を機材設置空間３の側方に導き出すか、電気制御部７や電池ケース２１の配置隙間を利用して挿通する。
【００１６】
本発明による鉢収容空間用自動給水セットの第三実施形態を、第一及び第二実施形態と相違する点について説明すれば、水タンク１として図３の如く飾り鉢Ｄの内周囲に沿って配置する環状タンク１Ｃを用い、環状タンク１Ｃは一部に機材設置空間３を、タンク上壁ｃ１に注水口２を設け、機材設置空間３の下側に灌水手段４の送水ポンプ５を、上側に電気制御部７と電池ケース２１とを備え、送水ポンプ５に植木鉢Ｂまで達する送水路６のホースＨを接続し、電気制御部７の給水時間操作部８をタンク上壁ｃ１に備えている。
【００１７】
本発明による鉢収容空間用自動給水セットの第四実施形態を、第一乃至第三実施形態と相違する点について説明すれば、水タンク１として図４の如く台座タンク部１１と、起立タンク部１２とを備えたＬ型タンク１Ｄを用い、Ｌ型タンク１Ｄは起立タンク部１２の一側と台座タンク部１１とに跨る機材設置空間３を備え、機材設置空間３の下側に灌水手段４の送水ポンプ５を、その上側に電気制御部７と電池ケース２１とを設け、起立タンク部１２の上壁ｂ１に注水口２と給水時間操作部８とを備え、送水ポンプ５に植木鉢Ｂまで達する送水路６のホースＨを備えている。
【００１８】
本発明による鉢収容空間用自動給水セットの第五実施形態を、第一乃至第四実施形態と相違する点について説明すれば、水タンク１として図５の如く台座タンク部１１と、環状タンク部１３とを備えた枡状タンク１Ｅを用い、枡状タンク１Ｅは環状タンク部１３と台座タンク部１１とに跨る機材設置空間３を備え、機材設置空間３の下側に灌水手段４の送水ポンプ５を、その上部に電気制御部７と電池ケース２１とを設け、環状タンク部１３の上壁ｃ１に注水口２と給水時間操作部８とを備え、送水ポンプ５に植木鉢Ｂまで達する送水路６を備えている。
【００１９】
本発明による鉢収容空間用自動給水セットの第六実施形態を、第一乃至第五実施形態と相違する点について説明すれば、図６の如く鉢収容空間Ａを間仕切Ｅの上部に備えたものであり、間仕切Ｅの鉢収容空間Ａ内に水タンク１と灌水手段４とを水平状態において外部から見えないように収めている。
第六実施形態の鉢収容空間用自動給水セットにあっては、間仕切Ｅを床面に固定的に設け、移動することがないので、電源１０として屋内配電線を利用するコンセント２２を用いることが望ましい。
【００２０】
送水ポンプ５は図８の如く、駆動部１５とポンプ部２５とから成り、ポンプ部２５は駆動部１５にて回転する羽根車５ｃと、水タンク１に連通する通水口５ａと、通水口５ａより吸い込んだ水Ｗの吐出口５ｂとを備え、駆動部１５を図９の如く水タンク１から遮断状態に取付け、吐出口５ｂにホースＨを接続する。
【００２１】
電気制御部７は図１２の如く、送水ポンプ５の作動時間を調整するＩＣボックスと、ＩＣボックスに電気接続する給水時間操作部８とを備え、給水時間操作部８に図７の如く給水時間設定スイッチ８ａを備えるもので、電気制御部７の主要部を機材設置空間３に、給水時間操作部８をタンク上壁ａ１、ｂ１，ｃ１に取付け、送水ポンプ５や給水時間操作部８に対する電気配線７ａを、機材設置空間３の隙間を利用して配線する。
【００２２】
第一実施形態の鉢収容空間用自動給水セットは上記構造であるから、予め横型タンク１Ａの一部に機材設置空間３を備え、該機材設置空間３に灌水手段４の主要部を取付け、本発明の鉢収容空間用自動給水セットを組立ておく。これを使用する場合、先ず横型タンク１Ａの注水口２から水Ｗを注ぎ込み、横型タンク１Ａに水Ｗを蓄えた後、給水セットを飾り鉢Ｄの鉢収容空間Ａ内に入れ、横型タンク１Ａを鉢底部ｄに設置する。次いで横型タンク１Ａの上に植木鉢Ｂを載置し、ホースＨと給水時間操作部８とを飾り鉢Ｄの上方まで導き、ホースＨの先にノズル９を接続し、該ノズル９を植木鉢Ｂに向けて配置し、給水時間操作部８を飾り鉢Ｄの上方から操作し得る位置に配置しておく。
給水時間操作部８を給水量と給水開始時間に合わせてセットしておけば、以後、セットされた時間に送水ポンプ５が自動的に作動し、横型タンク１Ａから植木鉢Ｂに水Ｗを供給する。
【００２３】
【実施例】
第一実施形態の横型タンク１Ａは、周壁ａ２の上端に上壁ａ１を、下端に底壁ａ３を設け、上壁ａ１に飾り鉢Ｄの上部まで達する注水口２を有しており、この注水口２の入口側を大きくし、給水を容易にすることが望ましい。また、この注水口２の内部に送水路６のホースＨを挿通したり、電気制御部７の配線７ａを挿通すれば、ホースＨや配線７ａの配置等が簡単容易になる。
横型タンク１Ａの上側に、図１４（イ）の如くタンク上壁ａ１より上側に突出したり下側に窪む鉢位置決め２３を設ければ、植木鉢Ｂの安定載置が向上するし、横型タンク１Ａの下側に図１４（ロ）の如くテーパ部ａ４を設ければ、鉢収容空間Ａへの横型タンク１Ａの安定収納が向上する。
【００２４】
送水ポンプ５の取付位置は、機材設置空間３の下側に限定されるものではなく、機材設置空間３の中間部や上部に取付けることも可能であるが、その場合、通水口５ａを水タンク１内の下側まで延長し、水タンク１内の水Ｗを有効に利用し得るようにすることが望ましい。
ノズル９は、図１１の如く、ノズル本体１９とノズルキャップ２９とから成り、ノズル本体１９は上向きに開口する雌螺孔９ａと、左右に開口するホース接続口９ｂと、植木鉢Ｂの土壌Ｃへの差し込む脚部９ｃとを備え、ノズルキャップ２９は傘部９ｄと、雌螺孔９ａに螺合する雄螺部９ｅとを備え、雄螺部９ｅより傘部９ｄの下側に通水孔９ｆを連通している。
【００２５】
電気制御部７に植木鉢Ｂの土壌Ｃに差込む湿度センサー２７を備え、湿度センサー２７によって土壌Ｃの湿り気が一定以下に達した時、送水ポンプ５を自動的に作動すれば、更に自動潅水が容易になる。湿度センサー２７を用いる場合、給水開始時間のセットは省略し得る。
更に水タンク１の水位を検地する水位センサー１７と、低水位の検地を知らせる水位警報部８ｂと、電池容量が一定水準以下になった時に作動する電池警報部８ｃを備えれば、更に水切れや電池切れも防止し得る。警報部８ｂ，８ｃとして点滅ランプやＬＥＤ、或いはブザー等を用い、これを給水時間操作部８に取付けておく。
【００２６】
飾り鉢Ｄの鉢収容空間Ａ内に収める本発明の鉢収容空間用自動給水セットにあっては、電源１０としてバッテリーや乾電池２０を用いると、飾り鉢Ｄの配置に制限を受けない利点があるし、体裁も良い。
機材設置空間３は、通常、遮蔽板等で塞いでおき、遮蔽板を取り除いて修理点検するものである。また、給水時間操作部８を電気制御部７と一体化することも可能である。
【００２７】
第四実施形態のＬ型タンク１Ｄは一体成形するものに限定されるものではなく、図１３（イ）の如く横型タンク１Ａと縦型タンク１Ｂとの組合せにて構成し得るように、縦型タンク１Ｂの下側に連結口１８を、横型タンク１Ａの上側に連結口１８と嵌脱自在の被連結口２８を設け、縦型タンク１Ｂを着脱自在にすることも可能である。
第五実施形態の枡状タンク１Ｅは一体成形するものに限定されるものではなく、これを横型タンク１Ａと環状タンク１Ｃとの組合せにて構成し、環状タンク１Ｃの下側に連結口１８を、横型タンク１Ａの上側に連結口１８と嵌脱自在の被連結口２８を設け、環状タンク１Ｃを着脱自在にすることも可能である。
【００２８】
また、鉢収容空間Ａ内に水タンク１を２体以上収める場合、図１３（ロ）の如く複数の水タンク１，１の一体に機材設置空間３を設け、水タンク１，１の下部間に連通管１６を取付けて用いる。
湿度センサー２７の信号を無線で電気制御部７に伝え得るようにすれば、湿度センサー２７に対する配線７ａを省略できる。
横型タンク１Ａに持ち手３０を、縦型タンク１Ｂの左右や環状タンク１Ｃの内周側に手掛部３１を設けたり、縦型タンク１Ｂと環状タンク１Ｃの上側に把手部３２を設けておけば、水タンク１の出し入れが容易になる。また、水タンク１の上面や下面に滑り止めを設けると、水タンク１の設置が安定する。
【００２９】
【発明の効果】
本発明による鉢収容空間用自動給水セットは上記構造のとおりであるから、次に記載する効果を奏する。
請求項１及び２記載の鉢収容空間用自動給水セットは、鉢収容空間内に植木鉢と共に収容し、植木鉢に対して定期的に自動潅水することができるので、一定期間に亘り維持管理を省略し得る。故に、植木鉢の維持管理が困難な場所や、維持管理を忘れ勝ちな場所等において、極めて効果的である。
請求項３記載の鉢収容空間用自動給水セットは、水タンクに機材設置空間を備えているので、潅水手段構成品の取付けや取外し、或は修理点検が簡単容易になる。しかもセット全体をコンパクトにし得る。
【００３０】
請求項４記載の鉢収容空間用自動給水セットは、電気制御部に水位センサーを備えているので、水タンクの水が空になる前に補充することができる。その結果、植物に対する給水が滞ることはない。また、水位警報部を備えているので、警報部が作動するまで管理を怠っても、植物に悪影響を与えることがない。
請求項５記載の鉢収容空間用自動給水セットは、電気制御部に湿度センサーを備えているので、最適な条件で給水することができる。
【００３１】
請求項６記載の鉢収容空間用自動給水セットは、美観や高級感のある飾り鉢を用い、しかも潅水手段の主要部は外部から見えないので、それによって外観と体裁が飛躍的に向上する。
請求項７記載の鉢収容空間用自動給水セットは、店内を区切る間仕切を用い、しかも潅水手段の主要部は外部から見えないので、それによって外観と体裁が飛躍的に向上する。
【図面の簡単な説明】
【図１】（イ）（ロ）
本発明による鉢収容空間用自動給水セットの第一実施形態を示す一部切欠斜視図とその使用状態図である。
【図２】（イ）（ロ）
その第二実施形態を示す一部切欠斜視図とその使用状態図である。
【図３】（イ）（ロ）
その第三実施形態を示す一部切欠斜視図とその使用状態図である。
【図４】（イ）（ロ）
その第四実施形態を示す斜視図とその使用状態図である。
【図５】（イ）（ロ）
その第五実施形態を示す斜視図とその使用状態図である。
【図６】（イ）（ロ）
その第六実施形態の使用例を示す平面図と要部断面図である。
【図７】給水時間操作部の正面図である。
【図８】送水ポンプの構造例を示す断面図である。
【図９】（イ）（ロ）
送水ポンプの取付け例を示す要部断面図である。
【図１０】電池ケースの正面図である。
【図１１】ノズルの構造例を示す一部切欠側図である。
【図１２】電気制御部の代表的なブロック配線図である。
【図１３】（イ）（ロ）
着脱式タンクと連続式タンクとの側面図である。
【図１４】（イ）（ロ）
横型タンクの形状例を示す一部切欠側面図である。
【符号の説明】
１　水タンク、１Ａ　横型タンク、１Ｂ　縦型タンク
１Ｃ　環状タンク、１Ｄ　Ｌ型タンク、１Ｅ　枡状タンク
１１　台座タンク部、１２　起立タンク部、１３　環状タンク部
２　注水口
３　機材設置空間
４　灌水手段
５　送水ポンプ、１５　駆動部、２５　ポンプ部
６　送水路
７　電気制御部
８　給水時間操作部、８ａ　給水時間設定スイッチ
８ｂ　水位警報部、８ｃ　電池警報部
９　ノズル、１９　ノズル本体、２９　ノズルキャップ
１０　電源、２０　乾電池、２１　電池ケース、２２　コンセント
１７　水位センサー、２７　湿度センサー
Ａ　鉢収容空間、Ｂ　植木鉢、Ｃ　土壌
Ｄ　飾り鉢
Ｅ　間仕切
Ｈ　ホース
Ｗ　水
【図１】
2004008169.tif 000003
【図２】
2004008169.tif 000004
【図３】
2004008169.tif 000005
【図４】
2004008169.tif 000006
【図５】
2004008169.tif 000007
【図６】
2004008169.tif 000008
【図７】
2004008169.tif 000009
【図８】
2004008169.tif 000010
【図９】
2004008169.tif 000011
【図１０】
2004008169.tif 000012
【図１１】
2004008169.tif 000013
【図１２】
2004008169.tif 000014
【図１３】
2004008169.tif 000015
【図１４】
2004008169.tif 000016